(57)【要約】【課題】建物内の温度等が適正に調整されるようにシャッタのスラットを開閉させることを簡易な構成で実現する。【解決手段】ブラインドシャッタ30のシャッタカーテンは、建物の開口部を覆うように配列された複数のスラットを備え、個々のスラットが、隣り合うスラットと間隙が生ずる開放位置と、隣り合うスラットと接する閉止位置と、の間で回動可能とされている。制御部20は、建物に設置された太陽光発電パネル12の発電量を表す発電量情報を取得し、取得した発電量情報が表す発電量に基づいて、ブラインドシャッタ30のシャッタカーテンを、全てのスラットが閉止位置に位置する全閉モード、全てのスラットが開放位置に位置する全開モード、一部のスラットが開放位置に位置し残りのスラットが閉止位置に位置する通風モードの何れかに切り替える。【選択図】図１
2013068016.tif 000002
【特許請求の範囲】
【請求項１】
建物の開口部を覆うように配列された複数のスラットを備え、個々の前記スラットが、隣り合う前記スラットと間隙が生ずる開放位置と、隣り合う前記スラットと接する閉止位置と、の間で回動可能とされたシャッタと、
前記建物に設置された太陽光発電装置の発電量を表す発電量情報を取得する取得部と、
前記取得部によって取得された発電量情報が表す発電量の変化に応じて、前記シャッタの複数の前記スラットのうち、前記閉止位置に位置される前記スラットと前記閉止位置から開放方向へ回動される前記スラットとの割合、及び、１つ以上の前記スラットの前記閉止位置からの開放方向への回動角度の少なくとも一方が変化するように前記シャッタを制御する制御部と、
を含む建物のシャッタ装置。
【請求項２】
前記制御部は、前記発電量情報が表す発電量の変化に応じて、前記シャッタを、全ての前記スラットが前記閉止位置に位置される全閉モード、全ての前記スラットが前記開放位置に位置される全開モード、及び、１つ以上の前記スラットが前記閉止位置から開放方向へ回動されかつ残りのスラットが前記閉止位置に位置される通風モードの何れかに切り替える請求項１記載の建物のシャッタ装置。
【請求項３】
前記制御部は、前記発電量情報が表す発電量が、殆ど発電が行われていないと判断できる値に予め設定された第１閾値未満の場合は、前記シャッタの全ての前記スラットが前記閉止位置に位置されるか、又は、前記閉止位置に位置される前記スラットの数が前記発電量が前記第１閾値以上の場合よりも多くなるように前記シャッタを制御し、前記発電量が前記第１閾値以上の場合は、前記シャッタの全ての前記スラットが前記閉止位置から開放方向へ回動されるか、又は、前記閉止位置から開放方向へ回動される前記スラットの数が前記発電量が前記第１閾値未満の場合よりも多くなるように前記シャッタを制御する請求項１又は請求項２記載の建物のシャッタ装置。
【請求項４】
前記制御部は、日付を認識するカレンダー機能を備え、前記発電量情報が表す発電量が前記第１閾値未満の場合に、現日付が夏期に相当する日付のときには、複数のスラットのうちの一部のスラットが前記閉止位置から開放方向へ回動されかつ残りのスラットが前記閉止位置に位置されるように前記シャッタを制御し、現日付が夏期以外の季節に相当する日付のときには、前記シャッタの全ての前記スラットが前記閉止位置に位置されるように前記シャッタを制御する請求項３記載の建物のシャッタ装置。
【請求項５】
前記制御部は、前記発電量情報が表す発電量が、天候が晴天と判断できる値に予め設定された第２閾値以上の場合には、前記シャッタの全ての前記スラットが前記閉止位置から開放方向へ回動されるか、又は、前記閉止位置から開放方向へ回動される前記スラットの数が前記発電量が前記第２閾値未満の場合よりも多くなるように前記シャッタを制御する請求項１〜請求項４の何れか１項記載の建物のシャッタ装置。
【請求項６】
前記制御部は、前記建物内に人が居るか否か判定し、前記建物内に人が居ないと判定した場合には、前記発電量情報が表す発電量に拘わらず、前記シャッタの全ての前記スラットが前記閉止位置に位置されるか、又は、前記閉止位置に位置される前記スラットの数が前記建物内に人が居ると判定した場合よりも多くなるように前記シャッタを制御する請求項１〜請求項５の何れか１項記載の建物のシャッタ装置。
【請求項７】
前記取得部は、前記建物内における消費電力量を表す消費電力量情報も取得し、
前記制御部は、前記取得部によって取得された前記消費電力量情報が表す消費電力に基づいて、前記建物内に人が居るか否かを判定する請求項６記載の建物のシャッタ装置。
【請求項８】
前記シャッタに対する前記制御部が過去に行った制御における前記スラットの開閉の状態を、そのときの前記太陽光発電装置の発電量を表す発電量情報と対応付けて記憶する記憶部を更に備え、
前記制御部は、前記記憶部に記憶された情報に基づき、前記スラットの開閉の状態が、過去に前記太陽光発電装置の発電量が現在の発電量と同レベルのときの前記スラットの開閉の状態と同一となるように、前記シャッタを制御する請求項１〜請求項７の何れか１項記載の建物のシャッタ装置。
【請求項９】
外気温を検出する外気温検出部を更に備え、
前記制御部は、前記外気温検出部によって検出された外気温も考慮して前記シャッタの制御を行う請求項１〜請求項８の何れか１項記載の建物のシャッタ装置。
【請求項１０】
前記建物の前記開口部のうち前記シャッタよりも屋内側には、前記開口部を開閉可能な窓が設けられており、
前記窓の開閉を検出する開閉検出部を更に備え、
前記制御部は、前記開閉検出部によって前記窓の開放が検出されている場合に、前記シャッタの前記スラットを前記閉止位置から開放方向へ回動させる制御を行う請求項１〜請求項９の何れか１項記載の建物のシャッタ装置。
【請求項１１】
建物の開口部を覆うように配列された複数のスラットを備え、個々の前記スラットが、隣り合う前記スラットと間隙が生ずる開放位置と、隣り合う前記スラットと接する閉止位置と、の間で回動可能とされたシャッタを制御する制御方法であって、
取得部は、前記建物に設置された太陽光発電装置の発電量を表す発電量情報を取得し、
制御部は、前記取得部によって取得された発電量情報が表す発電量の変化に応じて、前記シャッタの複数の前記スラットのうち、前記閉止位置に位置される前記スラットと前記閉止位置から開放方向へ回動される前記スラットとの割合、及び、１つ以上の前記スラットの前記閉止位置からの開放方向への回動角度の少なくとも一方が変化するように前記シャッタを制御する建物のシャッタの制御方法。
【発明の詳細な説明】
【技術分野】
【０００１】
本発明は建物のシャッタ装置及びその制御方法に係り、特に、建物の開口部を覆うように配列された複数のスラットを開閉させる建物のシャッタ装置、及び、当該建物のシャッタ装置に適用可能な制御方法に関する。
【背景技術】
【０００２】
建物の窓部等の開口部に設けられるシャッタとして、従来より、開口部を覆うように複数のスラットが配列され、各スラットが回動可能とされた構成のブラインドシャッタが知られている。ブラインドシャッタは、スラットを開放位置へ回動させた状態では採光や通風を確保することができ、スラットを閉止位置へ回動させた状態では防犯性や断熱性を各することができる、という特長を有している。
【０００３】
上記のブラインドシャッタに好適な技術として、特許文献１に記載の技術では、居室の外壁に形成された窓部にサッシ戸装置とシャッタ装置とが設けられた建物の居室に、人の顔や手の各表面温度を検出するサーモグラフィを設けている。そして、サーモグラフィの検出信号に基づいて人の顔や手の各表面温度を算出し、手の表面温度に基づいて居室の通気を行うか否かを判定し、通気を行う場合、サッシ戸装置により窓部を開放させるとともにブラインドシャッタのスラットを開放させている。
【先行技術文献】
【特許文献】
【０００４】
【特許文献１】特開２０１０−２４９４６２号公報
【発明の概要】
【発明が解決しようとする課題】
【０００５】
特許文献１に記載の技術は、省エネルギーを達成しつつ、建物内空間における体感温度を好適に調整することを目的としている。しかし、上記技術では、サーモグラフィの検出信号に基づいて人の顔や手の各表面温度を算出することが必須になるのに対し、居室内における表面温度算出対象の人の位置は一定していない。この点を考慮すると、上記技術では、サーモグラフィの検出可能範囲が居室内の全域に及ぶようにサーモグラフィを複数設けたり、居室内における表面温度算出対象の人の位置を検出し、表面温度算出対象の人の位置の変化に応じてサーモグラフィの検出対象範囲を移動させる等の機構が必要となり、構成が複雑化するという問題がある。
【０００６】
本発明は上記事実を考慮して成されたもので、建物内の温度等が適正に調整されるようにシャッタのスラットを開閉させることを簡易な構成で実現できる建物のシャッタ装置及び建物のシャッタ装置の制御方法を得ることが目的である。
【課題を解決するための手段】
【０００７】
請求項１記載の発明に係る建物のシャッタ装置は、建物の開口部を覆うように配列された複数のスラットを備え、個々の前記スラットが、隣り合う前記スラットと間隙が生ずる開放位置と、隣り合う前記スラットと接する閉止位置と、の間で回動可能とされたシャッタと、前記建物に設置された太陽光発電装置の発電量を表す発電量情報を取得する取得部と、前記取得部によって取得された発電量情報が表す発電量の変化に応じて、前記シャッタの複数の前記スラットのうち、前記閉止位置に位置される前記スラットと前記閉止位置から開放方向へ回動される前記スラットとの割合、及び、１つ以上の前記スラットの前記閉止位置からの開放方向への回動角度の少なくとも一方が変化するように前記シャッタを制御する制御部と、を含んで構成されている。
【０００８】
請求項１記載の発明では、建物に設けられたシャッタが、建物の開口部を覆うように配列された複数のスラットを備え、個々のスラットが、隣り合うスラットと間隙が生ずる開放位置と、隣り合うスラットと接する閉止位置と、の間で回動可能とされている。ところで、建物内の温度等は天候や外気温等に応じて大きく変化するが、天候や外気温等は日射量と強い相関がある。また、一般に太陽光発電装置は、発電量を確保するために比較的大面積の太陽光パネルを備えているので、太陽光発電装置の発電量は、比較的大面積の太陽光パネル全面への日射量を正確に反映した大きさとなり、太陽光パネル全面への日射量に応じて変化する。
【０００９】
上記に基づき取得部は、建物に設置された太陽光発電装置の発電量を表す発電量情報を取得する。そして制御部は、取得部によって取得された発電量情報が表す発電量の変化に応じて、シャッタの複数のスラットのうち、閉止位置に位置されるスラットと閉止位置から開放方向へ回動されるスラットとの割合、及び、１つ以上のスラットの閉止位置からの開放方向への回動角度の少なくとも一方が変化するようにシャッタを制御する。これにより、建物内の温度等が適正に調整されるようにシャッタのスラットを開閉させることができる。
【００１０】
また、請求項１記載の発明では、建物に設置された太陽光発電装置を利用し、その発電量に基づいてシャッタのスラットを開閉させており、日射量の検出を目的として日射量センサ等を設ける必要はない。従って、請求項１記載の発明によれば、建物内の温度等が適正に調整されるようにシャッタのスラットを開閉させることを簡易な構成で実現できる。
【００１１】
なお、請求項１記載の発明において、閉止位置に位置されるスラットと閉止位置から開放方向へ回動されるスラットとの割合を変化させることは、例えば請求項２に記載したように、制御部を、発電量情報が表す発電量の変化に応じて、シャッタを、全てのスラットが閉止位置に位置される全閉モード、全てのスラットが開放位置に位置される全開モード、及び、１つ以上のスラットが閉止位置から開放方向へ回動されかつ残りのスラットが閉止位置に位置される通風モードの何れかに切り替えるように構成することで実現することができる。
【００１２】
また、請求項１又は請求項２記載の発明において、制御部は、例えば請求項３に記載したように、発電量情報が表す発電量が、殆ど発電が行われていないと判断できる値に予め設定された第１閾値未満の場合は、シャッタの全てのスラットが閉止位置に位置されるか、又は、閉止位置に位置されるスラットの数が発電量が第１閾値以上の場合よりも多くなるようにシャッタを制御し、発電量が第１閾値以上の場合は、シャッタの全てのスラットが閉止位置から開放方向へ回動されるか、又は、閉止位置から開放方向へ回動されるスラットの数が発電量が第１閾値未満の場合よりも多くなるようにシャッタを制御するように構成することができる。
【００１３】
請求項３記載の発明における第１閾値は、殆ど発電が行われていないと判断できる値であるので、発電量情報が表す発電量が第１閾値未満の場合は夜間等であると判断できる。請求項３記載の発明は、発電量が第１閾値未満の場合に、シャッタの全てのスラットを閉止位置に位置させるか、又は、閉止位置に位置されるスラットの数を発電量が第１閾値以上の場合よりも多くしている。これにより、夜間等における建物の防犯性を向上させることができる。
【００１４】
また、請求項３記載の発明において、制御部は、例えば請求項４に記載したように、日付を認識するカレンダー機能を備え、発電量情報が表す発電量が第１閾値未満の場合に、現日付が夏期に相当する日付のときには、複数のスラットのうちの一部のスラットが閉止位置から開放方向へ回動されかつ残りのスラットが閉止位置に位置されるようにシャッタを制御し、現日付が夏期以外の季節に相当する日付のときには、シャッタの全てのスラットが閉止位置に位置されるようにシャッタを制御するよう構成してもよい。
【００１５】
請求項４記載の発明では、発電量が第１閾値未満であっても、現日付が夏期に相当する日付の場合に、複数のスラットのうちの一部のスラットが閉止位置から開放方向へ回動されかつ残りのスラットが閉止位置に位置されるようにシャッタを制御する。これにより、夜間等における建物の防犯性を確保しつつ、夏期の夜間等における通風性も確保され、建物内の温度等が適正に調整される。
【００１６】
また、請求項１〜請求項４の何れか１項記載の発明において、制御部は、例えば請求項５に記載したように、発電量情報が表す発電量が、天候が晴天と判断できる値に予め設定された第２閾値以上の場合には、シャッタの全てのスラットが閉止位置から開放方向へ回動されるか、又は、閉止位置から開放方向へ回動されるスラットの数が発電量が第２閾値未満の場合よりも多くなるようにシャッタを制御するよう構成してもよい。
【００１７】
請求項５記載の発明における第２閾値は天候が晴天と判断できる値であるので、発電量情報が表す発電量が第２閾値未満の場合は晴天の昼間であると判断できる。請求項４記載の発明では、発電量が第２閾値以上の場合に、シャッタの全てのスラットを閉止位置から開放方向へ回動させるか、又は、閉止位置から開放方向へ回動されるスラットの数を発電量が第２閾値未満の場合よりも多くしている。これにより、晴天の昼間等における通風性が確保され、建物内の温度等が適正に調整される。
【００１８】
また、請求項１〜請求項５の何れか１項記載の発明において、制御部は、例えば請求項６に記載したように、建物内に人が居るか否か判定し、建物内に人が居ないと判定した場合には、発電量情報が表す発電量に拘わらず、シャッタの全てのスラットが閉止位置に位置されるか、又は、閉止位置に位置されるスラットの数が建物内に人が居ると判定した場合よりも多くなるようにシャッタを制御するよう構成してもよい。これにより、建物内に人が居ない場合における防犯性を向上させることができる。
【００１９】
また、請求項６記載の発明において、例えば請求項７に記載したように、取得部は、建物内における消費電力量を表す消費電力量情報も取得し、制御部は、取得部によって取得された消費電力量情報が表す消費電力に基づいて、建物内に人が居るか否かを判定するように構成してもよい。この場合、建物内の複数箇所に人感センサ等を設置して建物内に人が居るか否かを判定する等の態様と比較して構成が簡単になる。
【００２０】
また、請求項１〜請求項７の何れか１項記載の発明において、例えば請求項８に記載したように、シャッタに対する制御部が過去に行った制御におけるスラットの開閉の状態を、そのときの太陽光発電装置の発電量を表す発電量情報と対応付けて記憶する記憶部を更に備え、制御部は、記憶部に記憶された情報に基づき、スラットの開閉の状態が、過去に太陽光発電装置の発電量が現在の発電量と同レベルのときのスラットの開閉の状態と同一となるようにシャッタを制御するよう構成してもよい。
【００２１】
また、請求項１〜請求項８の何れか１項記載の発明において、例えば請求項９に記載したように、外気温を検出する外気温検出部を更に備え、制御部は、外気温検出部によって検出された外気温も考慮してシャッタの制御を行うようにしてもよい。
【００２２】
また、請求項１〜請求項９の何れか１項記載の発明において、建物の開口部のうちシャッタよりも屋内側に、開口部を開閉可能な窓が設けられていてもよく、この場合、例えば請求項１０に記載したように、窓の開閉を検出する開閉検出部を更に備え、制御部は、開閉検出部によって窓の開放が検出されている場合に、シャッタのスラットを回動させる制御を行うように構成してもよい。
【００２３】
請求項１１記載の発明に係る建物のシャッタの制御方法は、建物の開口部を覆うように配列された複数のスラットを備え、個々の前記スラットが、隣り合う前記スラットと間隙が生ずる開放位置と、隣り合う前記スラットと接する閉止位置と、の間で回動可能とされたシャッタを制御する制御方法であって、取得部は、前記建物に設置された太陽光発電装置の発電量を表す発電量情報を取得し、制御部は、前記取得部によって取得された発電量情報が表す発電量の変化に応じて、前記シャッタの複数の前記スラットのうち、前記閉止位置に位置される前記スラットと前記閉止位置から開放方向へ回動される前記スラットとの割合、及び、１つ以上の前記スラットの前記閉止位置からの開放方向への回動角度の少なくとも一方が変化するように前記シャッタを制御するので、請求項１記載の発明と同様に、建物内の温度等が適正に調整されるようにシャッタのスラットを開閉させることを簡易な構成で実現することができる。
【発明の効果】
【００２４】
以上説明したように本発明は、建物に設置された太陽光発電装置の発電量の変化に応じて、シャッタの複数のスラットのうち、閉止位置に位置されるスラットと閉止位置から開放方向へ回動されるスラットとの割合、及び、１つ以上のスラットの閉止位置からの開放方向への回動角度の少なくとも一方が変化するようにシャッタを制御するので、建物内の温度等が適正に調整されるようにシャッタのスラットを開閉させることを簡易な構成で実現できる、という優れた効果を有する。
【図面の簡単な説明】
【００２５】
【図１】第１実施形態に係るブラインドシャッタ装置及びその周辺の概略構成を示すブロック図である。
【図２】ブラインドシャッタの外観を示す正面図である。
【図３】(Ａ)は全閉状態、(Ｂ)は全開状態、(Ｃ)は通風状態を各々示すブラインドシャッタの側面図である。
【図４】第１実施形態に係るブラインドシャッタ開閉制御処理の内容を示すフローチャートである。
【図５】第２実施形態に係るブラインドシャッタ装置及びその周辺の概略構成を示すブロック図である。
【図６】第２実施形態に係るブラインドシャッター開閉制御処理の内容を示すフローチャートである。
【発明を実施するための形態】
【００２６】
以下、図面を参照して本発明の実施形態の一例を詳細に説明する。
【００２７】
〔第１実施形態〕
図１には、本第１実施形態に係るブラインドシャッタ装置１０が示されている。なお、ブラインドシャッタ装置１０は戸建て住宅等の建物に設置され、本発明に係る建物のシャッタ装置の一例である。ブラインドシャッタ装置１０が設置された建物には、当該建物の屋根等に太陽光発電パネル１２が設けられている。太陽光発電パネル１２は太陽光発電装置の一例であり、太陽光発電パネル１２に照射された太陽光を、当該太陽光の日射量に応じた大きさの直流電力へ変換して出力する。太陽光発電パネル１２は本発明における太陽光発電装置の一例である。太陽光発電パネル１２は、ＤＣ／ＡＣ変換部(直流交流変換部)１４を介して建物の分電盤１６に接続されており、太陽光発電パネル１２から出力された直流電力は、ＤＣ／ＡＣ変換部１４によって交流電力に変換されて分電盤１６に供給される。
【００２８】
図示は省略するが、分電盤１６は系統電源(電力会社から供給される商用電源等)と接続されており、系統電源や太陽光発電パネル１２から供給された電力は、分電盤１６を経由して建物内の各箇所へ供給されて各箇所で消費される。また、建物内における消費電力が太陽光発電パネル１２から分電盤１６に供給された電力よりも小さい場合、太陽光発電パネル１２から分電盤１６に供給された電力のうち建物内で消費されない余剰電力は、分電盤１６から系統電源へ売電される。また、分電盤１６には電力量検知部１８が内蔵されており、電力量検知部１８は、分電盤１６から建物の内の各箇所へ供給される電流の大きさを検知することで、建物内における消費電力量を検知する。
【００２９】
一方、ブラインドシャッタ装置１０は、分電盤１６に接続された制御部２０と、建物のうち窓２８(図３参照)が取り付けられた開口部に設けられたブラインドシャッタ３０を備えている。制御部２０はＣＰＵ２０Ａ、メモリ２０Ｂ、不揮発性の記憶部２０Ｃを備えている。記憶部２０Ｃにはカレンダー情報２２が記憶されており、制御部２０で後述するブラインドシャッタ開閉制御処理を行うためのブラインドシャッタ開閉制御プログラム２４も記憶されている。制御部２０は、ＣＰＵ２０Ａがブラインドシャッタ開閉制御プログラム２４を実行することで、本発明に係る取得部及び制御部の一例として各々機能する。
【００３０】
また制御部２０には、例えば建物の居室等に設置された操作パネル２６が接続されている。操作パネル２６は、ＬＣＤ等のディスプレイを含み任意の情報を表示可能な表示部２６Ａと、テンキー或いはタッチパネル等の入力部を備え利用者が情報を入力可能な操作部２６Ｂと、を含んで構成されている。
【００３１】
また図２に示すように、建物の開口部に設けられたブラインドシャッタ３０は、各々鉛直方向に沿いかつ間隔を隔てて平行に配置された一対のガイドレール部３２と、一対のガイドレール部３２の上端部に配置された収容部３４と、を備えている。収容部３４には、ブラインドシャッタ開閉モータ３６(図１も参照)と、ブラインドシャッタ開閉モータ３６によって回転駆動される巻取部３８と、が内蔵されており、巻取部３８にはシャッタカーテン４０の一端部が取付けられている。
【００３２】
シャッタカーテン４０は、下端に配置された座板４２と、座板４２より上側の部分を構成する複数のスラット４４と、が、巻取部３８に平行な軸回りに回動可能に順に連結されて構成されている。シャッタカーテン４０は、巻取部３８がブラインドシャッタ開閉モータ３６によって巻取方向に回転されると、巻取部３８に巻き取られることで、ガイドレール部３２に沿って上昇する。これに伴い、ブラインドシャッタ３０が設けられシャッタカーテン４０によって閉止されていた建物の開口部が開放される。また、シャッタカーテン４０は、巻取部３８がブラインドシャッタ開閉モータ３６によって引出方向に回転されると、巻取部３８から引き出されてガイドレール部３２に沿って下降する。これに伴いブラインドシャッタ３０が設けられた建物の開口部がシャッタカーテン４０によって閉止される。
【００３３】
図示は省略するが、個々のスラット４４及び座板４２の両端部にブラケットが各々設けられている。個々のスラット４４及び座板４２は、シャッタカーテン４０の巻取・引出方向に隣り合うスラット４４及び座板４２同士が、両端部のブラケットを介し、巻取部３８に平行な軸回りに回動可能に連結されている。また個々のスラット４４は、各々の両端部に設けられたブラケットに対し、巻取部３８に平行な軸回りに回動可能に連結されている。従って、個々のスラット４４は、シャッタカーテン４０が建物の開口部を閉止している状態で、図３(Ａ)のように隣り合うスラット４４と接する閉止位置と、図３(Ｂ)のように隣り合うスラット４４と間隙が生ずる開放位置と、の間で回動可能とされている。
【００３４】
収容部３４には上側スラット回動モータ４８と下側スラット回動モータ５０が設けられている(図１,２も参照)。本実施形態では、シャッタカーテン４０のうち、シャッタカーテン４０が建物の開口部を閉止している状態で上側に位置する上側スラット群４６Ａ(図３参照)と、より下側に位置する下側スラット群４６Ｂ(図３参照)と、を独立して回動可能とされている。上側スラット群４６Ａを構成する各スラット４４は、図示しない伝達機構を介して上側スラット回動モータ４８の駆動力が伝達されることで、下側スラット群４６Ｂとは独立して閉止位置又は開放位置へ回動可能される。また、下側スラット群４６Ｂを構成する各スラット４４は、図示しない伝達機構を介して下側スラット回動モータ５０の駆動力が伝達されることで、上側スラット群４６Ａとは独立して閉止位置又は開放位置へ回動可能される。例として図３(Ｃ)には、上側スラット群４６Ａは開放位置へ回動され、下側スラット群４６Ｂは閉止位置へ回動された状態が示されている。
【００３５】
図１に示すように、ブラインドシャッタ３０は制御部２０と電気的に接続されており、ブラインドシャッタ開閉モータ３６、上側スラット回動モータ４８及び下側スラット回動モータ５０の駆動は制御部２０によって制御される。
【００３６】
次に本実施形態の作用として、ブラインドシャッタ装置１０の電源がオンされている間、制御部２０で常時行われるブラインドシャッタ開閉制御処理について、図４を参照して説明する。なお、以下で説明するブラインドシャッタ開閉制御処理は、ＣＰＵ２０Ａでブラインドシャッタ開閉制御プログラムが実行されることで実現される。
【００３７】
ブラインドシャッタ開閉制御処理のステップ６０において、制御部２０は、太陽光発電パネル１２の発電量(太陽光発電パネル１２からＤＣ／ＡＣ変換部１４を介して分電盤１６に供給される電力量)を表す発電量情報を分電盤１６から取り込む。また、分電盤１６に内蔵された電力量検知部１８によって検知された建物内における消費電力量を表す消費電力量情報も分電盤１６から取り込む。
【００３８】
次のステップ６２において、制御部２０は、ステップ６０で取り込んだ消費電力量情報が表す建物内の消費電力量に基づき、太陽光発電パネル１２が設置された建物内に人が存在しているか否か判定する。この判定は、例えば建物内の消費電力量を予め設定された閾値と比較し、建物内の消費電力量が閾値以上か否かを判定することで行うことができる。そして次のステップ６４において、制御部２０は、太陽光発電パネル１２が設置された建物内に人が存在していると判定したか否かに応じて分岐する。建物内に人が存在していないと判定した場合はステップ６４の判定が否定されてステップ８２へ移行する。
【００３９】
ステップ８２において、制御部２０は、まず建物の開口部がシャッタカーテン４０によって閉止されているか否かを判定する。そして、建物の開口部が閉止されていない場合はブラインドシャッタ開閉モータ３６によって巻取部３８を引出方向に回転させてシャッタカーテン４０を下降させ、建物の開口部をシャッタカーテン４０によって閉止させる。次に、上側スラット群４６Ａ及び下側スラット群４６Ｂが閉止位置に位置しているか否かを判定する。そして、上側スラット群４６Ａ及び下側スラット群４６Ｂの少なくとも一方が開放位置に位置している場合、上側スラット回動モータ４８及び下側スラット回動モータ５０の少なくとも一方により、開放位置に位置している全てのスラット４４を閉止位置へ回動させる。これにより、シャッタカーテン４０は、図３(Ａ)に示すように、全てのスラット４４が閉止位置に位置している状態(全閉モード)となり、建物内に人が居ない状況における防犯性を向上させることができる。
【００４０】
一方、建物内に人が存在していると判定した場合はステップ６４の判定が肯定されてステップ６６へ移行し、制御部２０は、記憶部２０Ｃから現在の日付を表す日付情報をカレンダー情報２２から取得し、取得した日付に基づいて現在の季節を判別する。次のステップ６８において、制御部２０は、ステップ６０で取得した発電量情報に基づき、太陽光発電パネル１２に現在照射されている太陽光の光量(日射量Ｓ)を判定する。またステップ７０において、制御部２０は、ステップ６８で判定した日射量Ｓを予め設定された閾値Ｓ1,Ｓ2と比較し、比較結果に応じて分岐する。
【００４１】
日射量Ｓが閾値Ｓ1未満の場合、制御部２０はステップ７０からステップ７２へ移行する。本実施形態において、閾値Ｓ1は、太陽光発電パネル１２における発電量が０、或いは太陽光発電パネル１２で殆ど発電が行われていないと判断できる値に設定されており、日射量Ｓが閾値Ｓ1未満の場合、現状況は夜間、或いは夜間に近い状況と判断できる。ステップ７２において、制御部２０は、先のステップ６６で判別した季節が夏期か否か判定する。季節が夏期以外の場合は、ステップ７２の判定が否定されて前述のステップ８２へ移行する。この場合、シャッタカーテン４０は、図３(Ａ)に示すように、全てのスラット４４が閉止位置に位置している状態(全閉モード)となるので、夜間等で比較的冷涼な時期における防犯性・快適性を向上させることができる。
【００４２】
また、先のステップ７２で季節が夏期の場合は判定が肯定され、ステップ７８へ移行する。ステップ７８において、制御部２０は、まず建物の開口部がシャッタカーテン４０によって閉止されているか否かを判定する。そして、建物の開口部が閉止されていない場合はブラインドシャッタ開閉モータ３６によって巻取部３８を引出方向に回転させてシャッタカーテン４０を下降させ、建物の開口部をシャッタカーテン４０によって閉止させる。次に、上側スラット群４６Ａが開放位置に位置しており、かつ下側スラット群４６Ｂが閉止位置に位置しているか否かを判定する。そして、上側スラット群４６Ａが閉止位置に位置している場合は、上側スラット回動モータ４８により、上側スラット群４６Ａの全てのスラット４４を開放位置へ回動させる。また、下側スラット群４６Ｂが開放位置に位置している場合は、下側スラット回動モータ５０により、下側スラット群４６Ｂの全てのスラット４４を閉止位置へ回動させる。
【００４３】
これにより、シャッタカーテン４０は、図３(Ｃ)に示すように、上側スラット群４６Ａの各スラット４４が開放位置に位置しており、かつ下側スラット群４６Ｂの各スラット４４が閉止位置に位置している状態(通風モード)となる。これにより、夜間等で最低気温が比較的高い状況において、防犯性を確保しつつ快適性を向上させることができる。
【００４４】
また、日射量Ｓが閾値Ｓ2以上の場合、制御部２０はステップ７０からステップ７４へ移行する。本実施形態において、閾値Ｓ2は、太陽光発電パネル１２における発電量が定格に近く、天候が晴天と判断できる値に設定されており、日射量Ｓが閾値Ｓ2以上の場合には、現状況は晴天の昼間で日射の強い時間帯と判断できる。ステップ７４において、制御部２０は、先のステップ６６で判別した季節が冬期か否か判定する。季節が冬期の場合はステップ７４の判定が肯定されてステップ８０へ移行する。
【００４５】
ステップ８０において、制御部２０は、まず建物の開口部がシャッタカーテン４０によって閉止されているか否かを判定する。そして、建物の開口部が閉止されていない場合はブラインドシャッタ開閉モータ３６によって巻取部３８を引出方向に回転させてシャッタカーテン４０を下降させ、建物の開口部をシャッタカーテン４０によって閉止させる。次に、上側スラット群４６Ａ及び下側スラット群４６Ｂが開放位置に位置しているか否かを判定する。そして、上側スラット群４６Ａ及び下側スラット群４６Ｂの少なくとも一方が閉止位置に位置している場合、上側スラット回動モータ４８及び下側スラット回動モータ５０の少なくとも一方により、閉止位置に位置している全てのスラット４４を開放位置へ回動させる。これにより、シャッタカーテン４０は、図３(Ｂ)に示すように、全てのスラット４４が開放位置に位置している状態(全閉モード)となる。これにより、採光性が確保されると共に、比較的気温の低い冬期に日射の一部が建物内に導入されることで、快適性及び省エネルギー性を向上させることができる。
【００４６】
また、先のステップ７４で現在の季節が冬期以外の場合、判定が否定されてステップ７６へ移行し、制御部２０は、先のステップ６６で判別した季節が夏期か否か判定する。季節が夏期の場合はステップ７６の判定が肯定され、空調装置による冷房を前提として前述のステップ８２へ移行する。この場合、シャッタカーテン４０は、図３(Ａ)に示すように、全てのスラット４４が閉止位置に位置している状態(全閉モード)となるので、快適性及び省エネルギー性を向上させることができる。
【００４７】
また、季節が冬期及び夏期以外の場合はステップ７６の判定が否定され、前述のステップ７８へ移行する。この場合、シャッタカーテン４０は、図３(Ｃ)に示すように、上側スラット群４６Ａの各スラット４４が開放位置に位置し、かつ下側スラット群４６Ｂの各スラット４４が閉止位置に位置している状態(通風モード)となるので、建物内への日射の侵入を抑制しつつ通風性が確保されることで快適性を向上させることができる。
【００４８】
また、日射量Ｓが閾値Ｓ1以上かつ閾値Ｓ2未満の場合、現状況としては、時間帯が朝又は夕方であるか、天候が曇天又は雨天である等が考えられるので、制御部２０はステップ７０からステップ７４へ移行する。この場合、シャッタカーテン４０は、図３(Ｂ)に示すように、全てのスラット４４が開放位置に位置している状態(全開モード)となるので、採光性及び通風性が確保され、快適性を向上させることができる。
【００４９】
ブラインドシャッタ３０に対してステップ７８〜ステップ８２の何れかの制御を行うとステップ８４へ移行し、制御部２０は、前回の制御から所定時間が経過したか否か判定する。ステップ８４の判定が否定された場合には、制御部２０はステップ８４の判定を繰り返す。そしてステップ８４の判定が肯定されるとステップ６０に戻る。
【００５０】
このように、本第１実施形態では、人の顔や手等の表面温度を検出することなく、太陽光発電パネル１２に対する日射量Ｓ(及び建物内の消費電力量)に基づき、ブラインドシャッタ３０のスラット４４の開閉を制御している。従って、本第１実施形態に係るブラインドシャッタ装置１０によれば、建物内の温度等が適正に調整されるようにブラインドシャッタ３０のスラット４４の開閉を制御することを、簡易な構成で実現することができる。
【００５１】
〔第２実施形態〕
次に本発明の第２実施形態について説明する。なお、第１実施形態と同一の部分には同一の符号を付し、説明を省略する。
【００５２】
図５には本第２実施形態に係るブラインドシャッタ装置５２が示されている。ブラインドシャッタ装置５２は、第１実施形態で説明したブラインドシャッタ装置１０と比較して、制御部２０の記憶部２０Ｃに制御履歴ＤＢ(データベース)５４が記憶されており、制御部２０に外気温センサ５６が接続されている点が相違している。外気温センサ５６は太陽光発電パネル１２が設置された建物の外気温を検出する。また、制御履歴ＤＢ５４には、ブラインドシャッタ３０に対する過去の制御で選択した動作モード(全閉モード・全開モード・通風モードの何れか)を、そのときの環境条件(日射量Ｓ、季節及び外気温)と対応付けて登録される。
【００５３】
次に図６を参照し、本第２実施形態に係るブラインドシャッタ開閉制御処理について、第１実施形態で説明したブラインドシャッタ開閉制御処理(図４)と異なる部分のみ説明する。
【００５４】
本第２実施形態に係るブラインドシャッタ開閉制御処理では、建物内に人が存在している(ステップ６４の判定が肯定の)場合に、ステップ６６において、制御部２０は日付を取得し、現在の季節を判別すると共に、外気温センサ５６から現在の外気温を取得する。また制御部２０は、ステップ６８で日射量Ｓを判定した後に、次のステップ９０において、現在の環境条件(日射量Ｓ、季節、外気温)で過去に選択された動作モードが制御履歴ＤＢ５４に登録されているか否かを検索する。
【００５５】
次のステップ９２において、制御部２０は、ステップ９０の検索で該当する情報が制御履歴ＤＢ５４から抽出されたか否か判定する。ステップ９２の判定が否定された場合、制御部２０はステップ７０へ移行し、第１実施形態と同様にしてステップ７０以降の処理を行う。但し、ブラインドシャッタ３０に対してステップ７８〜ステップ８２の何れかの制御を行うと、制御部２０はステップ９６へ移行し、今回選択した動作モードを、現在の環境条件と対応付けて制御履歴ＤＢ５４に登録した後でステップ８４へ移行する。
【００５６】
一方、ステップ９２の判定が肯定された場合はステップ９４へ移行する。ステップ９４において、制御部２０は検索で抽出された動作モード(現在の環境条件と対応付けて制御履歴ＤＢ５４に登録されている動作モード)に従って、ブラインドシャッタ３０のスラット４４の開閉を制御した後にステップ８４へ移行する。
【００５７】
ステップ８４において、制御部２０は、第１実施形態と同様に、前回の制御から所定時間が経過したか否かを判定するが、判定が否定された場合はステップ９８へ移行し、操作パネル２６を介して動作モードの変更が指示されたか否か判定する。制御部２０は、ステップ９８の判定が否定された場合はステップ８４に戻り、何れかの判定が肯定される迄ステップ８４,９８を繰り返す。
【００５８】
ここで、制御部２０によって選択されたブラインドシャッタ３０の動作モードが利用者(建物内に存在している人)にとって適切でなかった場合、利用者によって操作パネル２６が操作され、ブラインドシャッタ３０の所望の動作モードへの変更が指示される。利用者によって上記操作が行われると、ステップ９８の判定が肯定されてステップ１００へ移行する。ステップ１００において、制御部２０は、利用者から指示された動作モードに従ってブラインドシャッタ３０のスラット４４の開閉を制御する。
【００５９】
また制御部２０は、現在の環境条件と対応付けて制御履歴ＤＢ５４に動作モードが登録されている場合(先のステップ９２の判定が肯定された場合)は、制御履歴ＤＢ５４に登録されている動作モードを指示された動作モードへ更新する。また、現在の環境条件と対応付けられた動作モードが制御履歴ＤＢ５４に登録されていない場合(ステップ９２の判定が否定された場合)は、指示された動作モードを現在の環境条件と対応付けて制御履歴ＤＢ５４に登録する。この場合、現在の環境条件が再来した場合に、利用者が今回指示した動作モードに従ってブラインドシャッタ３０のスラット４４の開閉が制御されることになる。
【００６０】
なお、上記では建物内に人が存在しているか否かを、建物内の消費電力量に基づいて判定する態様を説明したが、これに限定されるものではない。例えば、建物の玄関扉の外からの施錠／解錠が電子キーによって行われる構成において、玄関扉が電子キーによって施錠された状態になっているか否かに基づいて、建物内に人が存在しているか否かを判定するようにしてもよい。
【００６１】
また、第１実施形態では日射量Ｓ(及び建物内の消費電力量)に基づいて、第２実施形態では外気温及び制御履歴ＤＢ５４に登録された情報も考慮して、ブラインドシャッタ３０のスラット４４の開閉を制御する態様を説明したが、これに限定されるものではない。例えば空調装置の動作状態を表す情報を取得し、空調装置が動作しているか否かも考慮してブラインドシャッタ３０の動作モードを選択するようにしてもよい。また、現在の時刻や当日の制御履歴、ブラインドシャッタ３０の方角も考慮するようにしてもよい。例えば夏期の晴天で時間帯が夕方になった場合、東や南を向いているブラインドシャッタ３０は通風モードに切り替える一方、西を向いているブラインドシャッタ３０は全閉モードにして西日を遮断するようにしてもよい。
【００６２】
また、窓２８を開閉させる機構も設け、例えば、ブラインドシャッタ３０が全開モード又は通風モードのときは窓２８を開放し、ブラインドシャッタ３０が全閉モードのときは窓２８を閉止する制御を行うようにしてもよい。
【００６３】
更に、上記では、通風モードのときに、ブラインドシャッタ３０のうちの上側スラット群４６Ａの各スラット４４を開放位置に位置させ、かつ下側スラット群４６Ｂの各スラット４４を閉止位置に位置させる態様を説明したが、これに限定されるものではない。例えば、通風モードにおいて、上側スラット群４６Ａの各スラット４４を閉止位置に位置させ、かつ下側スラット群４６Ｂの各スラット４４を開放位置に位置させてもよい。
【００６４】
また、建物の開口部がシャッタカーテン４０によって閉止されている状態で、通風モードで閉止位置から開放方向へ回動させるスラット４４は、シャッタカーテン４０の上端部又は下端部に位置していることに限られるものでもない。例えば、中間部に位置している複数のスラット４４を閉止位置から開放方向へ回動させ、残りのスラット４４を閉止位置に位置させてもよい。また、例えば、シャッタカーテン４０の上端から多少間隔を空けて、シャッタカーテン４０の上側に位置している複数のスラット４４を閉止位置から開放方向へ回動させ、残りのスラット４４を閉止位置に位置させるようにしてもよい。また、例えば、シャッタカーテン４０の下端から多少間隔を空けて、シャッタカーテン４０の下側に位置している複数のスラット４４を閉止位置から開放方向へ回動させ、残りのスラット４４を閉止位置に位置させてもよい。また、閉止位置から開放方向へ回動させるスラット４４を一箇所に集約させることに限られるものでもなく、とびとびに位置している複数のスラット４４を閉止位置から開放方向へ回動させ、残りのスラット４４を閉止位置に位置させてもよい。
【００６５】
また、上側スラット群４６Ａとして開閉させるスラット４４の数及び下側スラット群４６Ｂとして開閉させるスラット４４の数を固定としていたが、これに限定されるものではなく、上記数を変更可能な構成を採用してもよい。この場合、全閉モードに代えて閉止位置に位置させるスラット４４を増加させる制御を、全開モードに代えて開放位置に位置させるスラット４４を増加させる制御を行うようにしてもよい。
【００６６】
更に、上記ではブラインドシャッタ３０の上側スラット群４６Ａの各スラット４４及び下側スラット群４６Ｂの各スラット４４を、各々閉止位置又は開放位置に位置させる態様を説明したが、これに限定されるものではない。例えば、閉止位置と開放位置との間に、１／４開、１／２開、３／４開等の複数の位置を設け、太陽光発電パネル１２の発電量等に応じて、１つ以上のスラット４４の開度(位置)を段階的に切り替える制御を行うようにしてもよい。また、例えば、太陽光発電パネル１２の発電量等に応じて１つ以上のスラット４４の開度(位置)を連続的に切り替える制御を行うようにしてもよい。一例として、通風モードに「晴天用」と「雨天用」を設け、各々一部のスラット４４を閉止位置から開放方向へ回動させる場合に、一方はスラット４４を開放位置に位置させ、他方はスラット４４を１／４開の位置に位置させてもよい。
【００６７】
また、例えば、閉止位置に位置されるスラット４４と閉止位置から開放方向へ回動されるスラット４４との割合を変更させる制御と組み合わせてもよい。より詳しくは、太陽光発電パネル１２の発電量等に応じて、前記割合変化させる制御と閉止位置から開放方向へ回動されるスラット４４の開度を変化させる制御を各々行うようにしてもよい。一例として、通風モードに「晴天用」と「雨天用」を設けた場合に、「晴天用」と「雨天用」とでスラット４４の開度を変化させると共に、採光等を考慮し、閉止位置から開放方向へ回動させるスラット４４の数を「雨天用」よりも「晴天用」の方を多くしてもよい。
【符号の説明】
【００６８】
１０  ブラインドシャッタ装置
１２  太陽光発電パネル
１８  電力量検知部
２０  制御部
２８  窓
３０  ブラインドシャッタ
３６  ブラインドシャッタ開閉モータ
４０  シャッタカーテン
４４  スラット
４６Ａ  上側スラット群
４６Ｂ  下側スラット群
４８  上側スラット回動モータ
５０  下側スラット回動モータ
５２  ブラインドシャッタ装置
５４  制御履歴ＤＢ
５６  外気温センサ
【図１】
2013068016.tif 000003
【図２】
2013068016.tif 000004
【図３】
2013068016.tif 000005
【図４】
2013068016.tif 000006
【図５】
2013068016.tif 000007
【図６】
2013068016.tif 000008